(57)【特許請求の範囲】
【請求項１】
絶縁被覆された１本以上のリード線が延び出る第１のケース壁部と前記第１のケース壁部と連続し且つ前記第１のケース壁部が延びる方向と交差する交差方向に延びる第２のケース壁部とを備えた電気機器ケースの前記第２のケース壁部に前記１本以上のリード線を係止するリード線係止構造であって、
前記電気機器ケースに固定されて前記第２のケース壁部との間に前記１本以上のリード線が通る第１の間隙を形成し且つ前記第２のケース壁部と協働して前記１本以上のリード線を挟持する第１の係止部と、前記電気機器ケースまたは前記第１の係止部に固定されて前記第１の係止部との間に前記１本以上のリード線が通る第２の間隙を形成する第２の係止部とを備え、
前記１本以上のリード線が、前記第１のケース壁部と前記第２のケース壁部との間の角部で曲がり、次に前記第１の間隙内を通り、次に前記第２の間隙内を通るように引き廻されて前記１本以上のリード線が前記電気機器ケースに対して係止され、
前記第１のケース壁部には該第１のケース壁部の外壁面と前記第２のケース壁部の外壁面に向かって開口し且つ前記１本以上のリード線の一部が嵌る溝部が形成されており、
前記第１の係止部及び前記第２の係止部は、前記第１のケース壁部の前記外壁面を含む仮想平面よりも前記第２のケース壁部が延びる延伸方向に位置する空間内に全体が位置し、前記第２の係止部と前記仮想平面との間に、前記リード線が通り得るリード線通過空間が形成されるように形状が定められており、
前記第２のケース壁部には、前記第１の係止部及び第２の係止部の一方の端部がそれぞれ固定される延長部が設けられており、
前記第１の係止部の他方の端部と前記第２の係止部の他方の端部とが、連結部によって連結され、
前記第２の係止部の中央部には、１本の前記リード線の前記絶縁被覆が圧縮変形された状態で前記１本のリード線が通過する１つのスリットが形成されていることを特徴とするリード線係止構造。
【請求項２】
設置面に接触した状態で配置される外壁面を有する第１のケース壁部と、前記第１のケース壁部と連続し且つ前記第１のケース壁部が延びる方向と交差する交差方向に延びる第２のケース壁部と、前記第２のケース壁部と連続して前記第１のケース壁部と対向する第３のケース壁部とを有する電気機器ケースと、
前記電気機器ケース内に配置される電気機器装置と、
前記電気機器装置に接続されて前記第１のケース壁部の外側に延び出る絶縁被覆された１本以上のリード線と、
前記第１のケース壁部の外壁面と前記第２のケース壁部の外壁面に向かって開口し且つ前記１本以上のリード線の一部が嵌る溝部と、
前記第２のケース壁部に設けられて、前記溝部から出た前記１本以上のリード線を係止するリード線係止構造とを具備してなる電気機器であって、
前記リード線係止構造は、前記第２のケース壁部に固定されて前記第２のケース壁部との間に前記リード線が通る第１の間隙を形成し前記第２のケース壁部と協働して前記１本以上のリード線を挟持する第１の係止部と、前記第２のケース壁部または前記第１の係止部に固定されて前記第１の係止部との間に前記１本以上のリード線が通る第２の間隙を形成する第２の係止部とを備え、前記１本以上のリード線が前記第１のケース壁部と前記第２のケース壁部との間の角部で曲がり、次に前記第１の間隙内を通り、次に前記第２の間隙内を通るように引き廻されて前記１本以上のリード線が係止される構造を有しており、
前記第１のケース壁部には該第１のケース壁部の前記外壁面及び前記第２のケース壁部の外壁面に向かって開口し且つ前記１本以上のリード線の一部が嵌る溝部が形成されており、
前記第１の係止部及び前記第２の係止部は、前記電気機器が前記設置面に前記第１のケース壁部の前記外壁面を接触させた状態で取り付けられるときの障害とならず、且つ前記第２の係止部と前記設置面との間に、前記リード線が通り得るリード線通過空間が形成されるように形状が定められており、
前記第２のケース壁部には、前記第１の係止部及び第２の係止部の一方の端部がそれぞれ固定される延長部が設けられており、
前記第１の係止部の他方の端部と前記第２の係止部の他方の端部とが、連結部によって連結され、
前記第２の係止部の中央部には、１本の前記リード線の前記絶縁被覆が圧縮変形された状態で前記１本のリード線が通過する１つのスリットが形成されていることを特徴とする電気機器。
【請求項３】
前記電気機器が、前記電気機器ケースの前記第３のケース壁部に吸い込み口が形成され、前記第２のケース壁部に吐き出し口が形成された遠心送風機であり、
前記第２のケース壁部は前記吐き出し口に連続し且つ所定の間隔をあけて対向する第１及び第２の直線状壁部と該第１及び第２の直線状壁部と連続する円弧状壁部とからなり、
前記第１及び第２の直線状壁部のうち長さが長いほうの前記直線状壁部に隣接した前記円弧状壁部の第１の部分には、前記電気機器ケースを前記設置面に固定するための取付ネジが通る１以上のネジ孔を備えた取付部が一体に設けられ、
前記第１及び第２の係止部が、前記取付部に一体に設けられている請求項２に記載の電気機器。
【発明の詳細な説明】
【技術分野】
【０００１】
本発明は、電気機器ケースにリード線を係止するためのリード線係止構造及び電気機器に関するものである。
【背景技術】
【０００２】
特開平１１−２３００８３号公報（特許文献１）に示された遠心ファン（電気機器）では、ケーシングの吸い込み口と対向する壁部の外壁に溝部を形成し、この溝部に複数のリード線を収納している。そして溝部の開口部に沿って爪状突起を延ばし、この爪部でリード線が溝部から出ることを防止している。
【０００３】
また特開２００５−３０３０１５号公報（特許文献２）には、軸流送風機のウエブに設けた溝部内にリード線を収納し、溝部から出たリード線をケーシングの外壁に設けたフックに係止するリード線係止構造が示されている。
【０００４】
さらに特開２０１０−７５４５号公報（特許文献３）には、軸流送風機のウエブに設けた溝部内にリード線を収納し、溝部から出たリード線をケーシングの外壁に設けたリード線係止部に係止するリード線係止構造が示されている。
【先行技術文献】
【特許文献】
【０００５】
【特許文献１】特開平１１−２３００８３号公報
【特許文献２】特開２００５−３０３０１５号公報
【特許文献３】特開２０１０−７５４５号公報
【発明の概要】
【発明が解決しようとする課題】
【０００６】
従来のリード線係止構造では、リード線の長手方向に沿ってリード線を押し込む方向の力がリード線に加わると、リード線係止部よりリード線の引き出し部側に位置するリード線が部分的に浮き上がる。このような状態で電気機器を設置すると、浮いたリード線が、電気機器の設置の障害となったり、騒音発生の原因となる。
【０００７】
本発明の目的は、リード線を押し込む方向の力がリード線に加わっても、リード線が浮き上がることのないリード線係止構造及び該リード線係止構造を備えた電気機器を提供することにある。
【０００８】
上記目的に加えて、本発明の他の目的は、リード線係止構造から延びるリード線が電気機器の設置の障害にならないリード線係止構造及び該リード線係止構造を備えた電気機器を提供することにある。
【課題を解決するための手段】
【０００９】
本発明は、絶縁被覆された１本以上のリード線が延び出る第１のケース壁部と第１のケース壁部と連続し且つ第１のケース壁部が延びる方向と交差する交差方向に延びる第２のケース壁部とを備えた電気機器ケースの第２のケース壁部に１本以上のリード線を係止するリード線係止構造を対象とする。電気機器ケースは、例えば電気機器が送風機であれば、送風機の風洞を有するケーシングが電気機器ケースとなる。本発明のリード線係止構造は、第１の係止部と第２の係止部を備えている。第１の係止部は、電気機器ケースに固定されて第２のケース壁部との間に１本以上のリード線が通る第１の間隙を形成し且つ第２のケース壁部と協働して１本以上のリード線を挟持する。第２の係止部は、電気機器ケースまたは第１の係止部に固定されて第１の係止部との間に１本以上のリード線が通る第２の間隙を形成する。本発明のリード線係止構造では、１本以上のリード線が、第１のケース壁部と第２のケース壁部との間の角部で曲がり、次に第１の間隙内を通り、次に第２の間隙内を通るように引き廻されて１本以上のリード線が電気機器ケースに対して係止される。本発明のリード線係止構造では、１本以上のリード線にその長手方向に沿って押し込む力が加わると、第２の間隙内のリード線の部分が第２のケース壁部に向かって移動する。そして第２の間隙と第１の間隙との間に位置するリード線の部分が、第２のケース壁部に当たる。この力はリード線を第２のケース壁部に押し当てるものの、第１の間隙内に第１の係止部と第２のケース壁部とによって挟持されるリード線の部分を第１の間隙部分から押し出す力になることはない。そのため本発明のリード線係止構造によれば、リード線を押し込む方向の力がリード線に加わっても、リード線が浮き上がることがない。
【００１０】
第１のケース壁部には該第１のケース壁部の外壁面と第２のケース壁部の外壁面に向かって開口し且つ前記１本以上のリード線の一部が嵌る溝部が形成されていてもよい。そしてこの場合、第１の係止部及び第２の係止部は、第１のケース壁部の外壁面を含む仮想平面よりも第２のケース壁部が延びる延伸方向に位置する空間内に全体が位置し、第２の係止部と仮想平面との間に、リード線が通り得るリード線通過空間が形成されるように形状が定められているのが好ましい。このような構造を採用すると、電気機器ケースの第１のケース壁部を設置面に接触させた状態で電気機器を設置した場合に、リード線が設置の障害になることがない。特に第２の係止部と仮想平面との間にリード線が通るリード線通過空間が形成されるため、リード線係止構造から出たリード線が、電気機器の設置の障害となることがない。
【００１１】
本発明の第１の実施の形態のように、第２のケース壁部に、第１の係止部及び第２の係止部の一方の端部が固定される延長部を設けてもよい。このような延長部を設ければ、第１の係止部及び第２の係止部を簡単に設けることができる。また第１の係止部の他方の端部と第２の係止部の延伸方向に位置する他方の端部とを連結部によって連結してもよい。この場合には、第２の係止部の中央部に、１本のリード線の絶縁被覆が圧縮変形された状態で１本のリード線が通過する１つのスリットを形成する。このようにすると第１の間隙を通った１本以上のリード線をスリットを通して第２の間隙内に挿入できる。リード線の長さが長い場合にこのスリットは効果を発揮する。またスリットが１本のリード線の絶縁被覆を圧縮変形させた状態でなければ通過できない寸法になっているため、第２の間隙内に入った１本以上のリード線は意識的にスリットを通して引き出さない限り、第２の間隙から出ることがない。したがってこのような構造では、リード線の係止が容易でしかもリード線の抜け止めを図ることができる。
【００１２】
また本発明の第２の実施の形態のように、第２のケース壁部に、第１の係止部及び第２の係止部の一方の端部がそれぞれ固定される延長部を設けて、第１の係止部及び第２の係止部の他方の端部をそれぞれ自由端部を構成するようにしてもよい。この場合には、第１の間隙を通した後、第１の間隙から１本以上のリード線が抜け出ないように、第１及び第２の係止部の自由端部間から１本以上のリード線を第１の係止部と第２の係止部の間の第２の間隙内に挿入する。この構成は構造が簡単である。
【００１３】
さらに本発明の第３の実施の形態のように、第１の係止部の他方の端部と第２の係止部の他方の端部とを、連結部によって連結する場合には、第２のケース壁部に、第１の係止部の一方の端部が固定され且つ第２の係止部の一方の端部との間に１本以上のリード線が通過する第３の間隙を形成する延長部を設けてもよい。この場合には、第１の間隙を通した後、第３の間隙を通して１本以上のリード線を第１の係止部と第２の係止部の間の第２の間隙内に挿入する。第３の間隙が、延長部と第２の係止部の端部との間に形成されるため、係止作業中に、第１の間隙に入った１本以上のリード線が第１の間隙から抜け出ることはない。
【００１４】
第２及び第３の実施の形態のいずれの場合でも、第２の間隙を通過して仮想平面に沿って延びる１本以上のリード線が第２の係止部上から外れるのを阻止するように仮想平面に向かって延びる突起を、第２の係止部に一体に設けてもよい。
【００１５】
本発明はリード線係止構造を備えた電気機器としても把握することができる。本発明の電気機器の電気機器ケースは、設置面に接触した状態で配置される外壁面を有する第１のケース壁部と、第１のケース壁部と連続し且つ第１のケース壁部が延びる方向と交差する交差方向に延びる第２のケース壁部と、第２のケース壁部と連続して第１のケース壁部と対向する第３のケース壁部とを有する。そして電気機器ケース内には、電気機器装置が収納される。電気機器が送風機の場合には、電気機器装置は、モータとインペラである。電気機器装置には、第１のケース壁部の外側に延び出る１本以上のリード線が接続されている。そして電気機器ケースの第１のケース壁部には、その外壁面と第２のケース壁部の外壁面に向かって開口し且つ１本以上のリード線の一部が嵌る溝部が形成される。電気機器は、第２のケース壁部に、溝部から出た１本以上のリード線を係止するリード線係止構造を備える。リード線係止構造の構成は、前述の構成と同じである。
【００１６】
なお電気機器は、電気機器ケースの第３のケース壁部に吸い込み口が形成され、第２のケース壁部に吐き出し口が形成された遠心送風機であってもよい。この遠心送風機では、第２のケース壁部は吐き出し口に連続し且つ所定の間隔をあけて対向する第１及び第２の直線状壁部と該第１及び第２の直線状壁部と連続する円弧状壁部とからなる。そして第１及び第２の直線状壁部のうち長さが長いほうの直線状壁部に隣接した円弧状壁部の第１の部分には、電気機器ケースを設置面に固定するための取付ネジが通る１以上のネジ孔を備えた延長部に相当する取付部を一体に設ける。そして第１及び第２の係止部を、取付部に一体に設ける。遠心送風機において、このような構成を採用すると、リード線係止構造を設けても、遠心送風機の全体形状をコンパクトなものとすることができる。
【図面の簡単な説明】
【００１７】
【図１】本発明を遠心送風機に適用した本発明の第１の実施の形態の一例の背面側斜視図である。
【図２】図１の実施の形態からリード線を除いた遠心送風機の背面側斜視図である。
【図３】図１の実施の形態からリード線を除いた遠心送風機の正面側斜視図である。
【図４】図１の実施の形態からリード線を除いた遠心送風機の側面図である
【図５】（Ａ）乃至（Ｄ）は、リード線係止構造を拡大して複数の方向から見た状態を示す部分拡大図である。
【図６】（Ａ）及び（Ｂ）は、リード線係止構造にリード線を係止させた状態の部分拡大図である。
【図７】リード線係止構造の作用を説明するために用いる図である。
【図８】（Ａ）乃至（Ｃ）は、本発明の第２の実施の形態のリード線係止構造を拡大して複数の方向から見た状態を示す部分拡大図である。
【図９】（Ａ）及び（Ｂ）は、図８のリード線係止構造にリード線を係止させた状態の部分拡大図である。
【図１０】（Ａ）乃至（Ｃ）は、本発明の第３の実施の形態のリード線係止構造を拡大して複数の方向から見た状態を示す部分拡大図である。
【図１１】（Ａ）及び（Ｂ）は、図１０のリード線係止構造にリード線を係止させた状態の部分拡大図である。
【発明を実施するための形態】
【００１８】
本発明のリード線係止構造を備えた本発明の電気機器の実施の形態を図面を参照して説明する。図１は、本発明を遠心送風機に適用した本発明の第１の実施の形態の一例の背面側斜視図を示しており、図２乃至図４は図１の実施の形態からリード線を除いた遠心送風機の背面側斜視図、正面側斜視図及び側面図を示している。図５（Ａ）乃至（Ｄ）は、リード線係止構造を拡大して複数の方向から見た状態を示す部分拡大図であり、図６（Ａ）及び（Ｂ）はリード線係止構造にリード線７を係止させた状態の部分拡大図である。図７は、リード線係止構造の作用を説明するために用いる図である。これらの図に示されるように、本実施の形態の遠心送風機１は、電気機器ケースとしてファンケーシング３と、ファンケーシング３の内部に配置された図示しないモータの回転軸６に固定されて回転するインペラ５（図３及び図４）とを備えている。ファンケーシング３は、絶縁樹脂により二つ割りに成形されており、絶縁被覆された４本のリード線７が延び出る第１のケース壁部９と、第１のケース壁部９と連続し且つ第１のケース壁部９が延びる方向と交差する（この例では直交する）交差方向（この例では直交方向）に延びる第２のケース壁部１１と、第１のケース壁部９と対向する第３のケース壁部１３とを備えている。第３のケース壁部１３には吸い込み口１５が形成され、第２のケース壁部１１に吐き出し口１７が形成されている。インペラ５は、モータの回転軸６が回転すると、吸い込み口１５から吸い込んだ空気を回転軸６の軸線と直交する方向に曲げて吐き出し口１７から吐き出すように設計された複数のブレードを備えている。
【００１９】
この遠心送風機１では、第２のケース壁部１１は吐き出し口１７に連続し且つ所定の間隔をあけて対向する第１及び第２の直線状壁部１２Ａ及び１２Ｂと該第１及び第２の直線状壁部１２Ａ及び１２Ｂと連続する円弧状壁部１２Ｃとからなる。そして第１及び第２の直線状壁部１２Ａ及び１２Ｂのうち長さが長い第１の直線状壁部１２Ａの直線状壁部に隣接した円弧状壁部１２Ｃの第１の部分には、ファンケーシング３を設置面に固定するための取付ネジが通る２本の取付ネジ貫通孔１９を備えた延長部に相当する第１の取付部１４Ａが一体に設けられている。また円弧状壁部１２Ｃには、第１の取付部１４Ａから周方向に所定の距離だけ離れた位置に第２乃至第４の取付部１４Ｂ乃至１４Ｄを一体に備えている。第２乃至第４の取付部１４Ｂ乃至１４Ｄにも、それぞれ取付ネジ貫通孔１９が形成されている。
【００２０】
第１のケース壁部９には、第１のケース壁部９の外壁面９Ａと第２のケース壁部１１の外壁面１１Ａに向かって開口し且つ４本のリード線７の一部が嵌る溝部１０が形成されている。そして溝部１０に対向するように、リード線係止構造２１が、第１の取付部１４Ａと一体に設けられている。以下リード線係止構造２１の構成を図５（Ａ）乃至（Ｄ）を用いて説明する。本実施の形態のリード線係止構造２１は、第２のケース壁部１１に一体に設けられた第１の取付部１４Ａに一端が一体に設けられた第１の係止部２３と第２の係止部２５とから構成される。第１の係止部２３及び第２の係止部２５は、第１のケース壁部９の外壁面９Ａを含む仮想平面Ｓ（図７参照）よりも第２のケース壁部１１が延びる延伸方向に位置する空間内に全体が位置している。本実施の形態の第１の係止部２３及び第２の係止部２５は、第２のケース壁部１１に沿って周方向に延びる細長い板形状を有している。
【００２１】
第１の係止部２３は、第２のケース壁部１１との間に４本のリード線７が通る第１の間隙２７を形成し且つ第２のケース壁部１１と協働して４本のリード線７を挟持する。第２の係止部２５は、第１の係止部２３との間に４本のリード線７が通る第２の間隙２９を形成する。第１の係止部２３の他方の端部と第２の係止部の他方の端部とは連結部３１によって連結されている。そして第２の係止部２５の中央部には、１本のリード線７の絶縁被覆が圧縮変形された状態で１本のリード線７が通過する１つのスリット３３が形成されている。スリット３３は、第１の間隙２７を通った４本のリード線７をスリット３３を通して第２の間隙２９内に挿入することを可能にする。そのためリード線７の長さが長い場合に、このスリット３３は効果を発揮する。またスリット３３が１本のリード線７の絶縁被覆を圧縮変形させた状態でなければ通過できない寸法になっているため、第２の間隙２９内に入った４本のリード線は意識的にスリット３３を通して引き出さない限り、第２の間隙２９から出ることがない。
【００２２】
また本実施の形態では、図７に示すように、第２の係止部２５が第１のケース壁部９の外壁面９Ａを含む仮想平面Ｓとの間に、リード線が通り得るリード線通過空間３５が形成されるように形状が定められている。すなわち第２の係止部２５の底面側の端面２５Ａが第１の係止部２３の底面側の端面２３Ａよりも仮想平面Ｓから離れるように、第２の係止部２５の形状が定められている。このような構造を採用すると、ファンケーシング３の第１のケース壁部９を設置面（遠心送風機１を設置する場所の設置面）に接触させた状態で遠心送風機１を設置した場合に、リード線７が設置の障害になることがない。特に第２の係止部２５と仮想平面Ｓとの間にリード線が通るリード線通過空間３５を形成すれば、リード線係止構造２１から出たリード線７が、遠心送風機１の設置の障害となることを確実に防止できる。
【００２３】
図７及び図６を用いて説明すると、本実施の形態のリード線係止構造２１では、４本のリード線７が、第１のケース壁部９と第２のケース壁部１１との間の角部で曲がり、次に第１の間隙２７内を通り、次に第２の係止部２５に設けたスリット３３から４本のリード線７を順次第２の間隙２９内に入れるように、リード線７を引き廻して、４本のリード線７をファンケーシング３に対して係止する。このリード線係止構造２１では、４本のリード線にその長手方向に沿って押し込む力（図７に符号Ｆで示す方向の力）が加わると、第２の間隙２９内のリード線７の部分が第２のケース壁部１１に向かって移動する。そして第２の間隙２９と第１の間隙２７との間に位置するリード線の部分が、第２のケース壁部１１に当たる。この力はリード線７を第２のケース壁部１１に押し当てるものの、第１の間隙２７内に第１の係止部２３と第２のケース壁部１１とによって挟持されるリード線７の部分を第１の間隙２７から押し出す力になることはない。そのためこのリード線係止構造２１によれば、図７に符号Ｆで示す方向の力がリード線７に加わっても、リード線７が浮き上がることはない。
【００２４】
図８は、本発明のリード線係止構造の第２の実施の形態の拡大斜視図を示しており、図９は第２の実施の形態においてリード線を係止させた状態の拡大斜視図を示している。これらの図において、図１乃至図７に示した第１の実施の形態の構成部分と同様の部分には、図１乃至図７に付した符号の数に１００の数の符号を付してある。第２の実施の形態では、第２のケース壁部１１１に、第１の係止部１２３及び第２の係止部１２５の一端が固定される延長部を構成する第１の取付部１１４Ａが設けられている。本実施の形態では、第１の係止部１２３及び第２の係止部１２５の他方の端部は、それぞれ自由端部を構成している。したがって第１の間隙１２７と第２の間隙１２９は、共に第２のケース壁部１１１が延びる延伸方向と第１の取付部１１４Ａから離れる方向とに向かって開口している。そして第１の係止部１２３の他方の端部には、第２のケース壁部１１１が延びる延伸方向に向かって延びる突起１２４が一体に設けられている。また第２の係止部１２５の他方の端部には、第２のケース壁部１１１が延びる延伸方向と逆の方向に向かって伸びる突起１２６が一体に設けられている。本実施の形態では、リード線７を第１の間隙１２７を通した後、第１の間隙１２７からリード線７が抜け出ないように、第１及び第２の係止部１２３及び１２５の自由端部間からリード線７を第１の係止部１２３と第２の係止部１２５の間の第２の間隙１２９内に挿入する。図９に示すように、リード線７は突起１２４及び１２６によって係止され、第１及び第２の間隙１２７及び１２９から抜け出るのが防止されている。
【００２５】
図１０は、本発明のリード線係止構造の第３の実施の形態の拡大斜視図を示しており、図１１は第３の実施の形態においてリード線を係止させた状態の拡大斜視図を示している。これらの図において、図１乃至図７に示した第１の実施の形態の構成部分と同様の部分には、図１乃至図７に付した符号の数に２００の数の符号を付してある。第３の実施の形態では、第２のケース壁部２１１に、第１の係止部２２３の一端が固定される延長部を構成する第１の取付部２１４Ａが設けられている。本実施の形態では、第１の係止部２２３の他方の端部と第２の係止部２２５の他方の端部とが連結部２３１によって連結されている。第２の係止部２２５の一端は自由端部となっており、第２の係止部２２５の一端と第２のケース壁部２１１との間にはリード線７が通る第３の間隙２３７が形成されている。
【００２６】
本実施の形態の第２の係止部２２５は三角形形状を有しており、他端側には第２のケース壁部２１１の延伸方向とは逆の方向に突出する突起２２６が一体に設けられている。この実施例では、リード線７を第１の間隙２２７を通した後、第３の間隙２３７を通して１本以上のリード線を第１の係止部２２３と第２の係止部２２５の間の第２の間隙内２２９に挿入する。第３の間隙２３７が、第１の取付部２１４Ａと第２の係止部２２５の端部との間に形成されるため、係止作業中に、第１の間隙２２７に入ったリード線７が第１の間隙２２７から抜け出ることはない。
【００２７】
上記実施の形態は、遠心送風機に本発明を適用したものであるが、本発明のリード線係止構造は、遠心送風機以外のその他の電気機器であって、リード線が延び出る第１のケース壁部と、この第１のケース壁部から交差する交差方向に延伸する第２のケース壁部とを有する電気機器ケースを備える電気機器であれば当然にして適用できるのは勿論である。
【産業上の利用可能性】
【００２８】
本発明によれば、１本以上のリード線にその長手方向に沿って押し込む力が加わると、第２の間隙内のリード線の部分が第２のケース壁部に向かって移動し、第２の間隙と第１の間隙との間に位置するリード線の部分が、第２のケース壁部に当たる。そしてこの力はリード線を第２のケース壁部に押し当てるものの、第１の間隙内に第１の係止部と第２のケース壁部とによって挟持されるリード線の部分を第１の間隙部分から押し出す力になることはない。そのため本発明によれば、リード線を押し込む方向の力がリード線に加わっても、リード線が浮き上がることがないという利点が得られる。
【符号の説明】
【００２９】
１  遠心送風機
３  ファンケーシング
６  回転軸
７  リード線
９  第１のケース壁部
９Ａ  外壁面
１０  溝部
１１  第２のケース壁部
１１Ａ  外壁面
１２Ａ  直線状壁部
１２Ｃ  円弧状壁部
１３  第３のケース壁部
１４Ａ  取付部
１９  取付ネジ貫通孔
２１  リード線係止構造
２３  第１の係止部
２３Ａ  端面
２５  第２の係止部
２５Ａ  端面
２７  第１の間隙
２９  第２の間隙
３１  連結部
３３  スリット
３５  リード線通過空間
【図１】
0005702981.tif 000002
【図２】
0005702981.tif 000003
【図３】
0005702981.tif 000004
【図４】
0005702981.tif 000005
【図５】
0005702981.tif 000006
【図６】
0005702981.tif 000007
【図７】
0005702981.tif 000008
【図８】
0005702981.tif 000009
【図９】
0005702981.tif 000010
【図１０】
0005702981.tif 000011
【図１１】
0005702981.tif 000012